(57)【要約】【課題】サイズが異なる表紙が混載された用紙束に対してリングバインダ製本処理を可能とする。【解決手段】用紙に対してリング綴じ用のリング穴を穿孔するパンチユニットと、用紙搬送方向に直交する方向から用紙の端縁に当接して用紙を整合するジョガーと、整合処理と穿孔処理が実施された用紙束のリング穴にリング状の綴じ具を通して冊子を作成するリングバインド部と、を有する製本装置であって、前記ジョガーが第１の整合部材であるジョガー本体２３と、このジョガー２３に軸３７を介して揺動可能に支持された補助フェンス３６ｂからなり、補助フェンス３６ｂは、ジョガー２３よりも内側であって用紙載置面から離間する方向に揺動可能に前記軸３７に支持され、補助フェンス３６ｂによって表紙６０上に排紙された中紙６１の端部を整合する。【選択図】図３
2010241108.tif 000002
【特許請求の範囲】
【請求項１】
用紙に対してリング綴じ用のリング穴を穿孔する穿孔手段と、
用紙搬送方向に直交する方向から用紙の端縁に当接して用紙を整合する整合手段と、
整合処理と穿孔処理が実施された用紙束のリング穴にリング状の綴じ具を通して冊子を作成するリングバインド手段と、
を有する製本装置であって、
前記整合手段が第１の整合部材と、この第１の整合部材よりも内側であって用紙載置面から離間する方向に揺動可能に支持された第２の整合部材とからなり、
前記第２の整合部材により用紙搬送方向に直交する方向の長さが大きい用紙と小さい用紙とを整合する際、前記大きい用紙よりも小さい用紙については、前記第２の整合部材を前記第１の整合部材の用紙載置面から離間させて用紙載置面に排紙させ、その後、第２の整合部材を前記第１の整合部材の用紙載置面側に当接させて前記第２の整合部材の当接面で用紙を整合することを特徴とする製本装置。
【請求項２】
請求項１記載の製本装置であって、
前記大きい用紙が表紙であり、前記小さい用紙が中紙であることを特徴とする製本装置。
【請求項３】
請求項２記載の製本装置であって、
前記中紙を前記表紙上で前記第２の整合部材によって整合することを特徴とする製本装置。
【請求項４】
請求項３記載の製本装置であって、
前記中紙の上に排紙された他側の表紙を第２の整合部材によって整合することを特徴とする製本装置。
【請求項５】
請求項４記載の製本装置であって、
前記表紙及び他側の表紙は中紙に対して搬送方向及び搬送方向に直交する方向について長さが大きいことを特徴とする製本装置。
【請求項６】
請求項１ないし５のいずれか１項に記載の製本装置であって、
前記穿孔手段は、前記リング穴の列の中央が用紙束の綴じる辺の長さの略中央になるようにリング穴を穿孔することを特徴とする製本装置。
【請求項７】
請求項１ないし５のいずれか１項に記載の製本装置であって、
前記穿孔手段は、前記リング穴の列の中央が用紙束の綴じる辺の長さの略中央に対してずらしてリング穴を穿孔することを特徴とする製本装置。
【請求項８】
請求項１ないし７のいずれか１項に記載の製本装置と、
前記製本装置の前段側に設けられ、当該製本装置に印刷済みの用紙を供給する画像形成装置と、
を備えていることを特徴とする製本システム。
【発明の詳細な説明】
【技術分野】
【０００１】
本発明は、印刷装置、複写機、プリンタ、ファクシミリ、及びこれらの機能を複合して有するデジタル複合機などの画像形成装置に接続され、画像形成装置側から搬入されてくるシートに対してリングバインダ製本を自動的に行う製本装置、及び前記画像形成装置と前記製本装置とを含む製本システムに関する。
【背景技術】
【０００２】
従来からの画像形成装置の後処理機が有する機能の１つに、用紙の綴じ側端部に１枚ずつ多穴のパンチ穴を明け、ページ順に揃えて１冊分ずつ排紙トレイに積載する機能があった。こうして得られた出力物は、その後、オフラインの装置や治具を用いて、金属コイルや、プラスチック製のリングなどで綴じを行い、リング製本物として仕上げられていた。一方、画像形成装置に対して複数種の作業装置、例えばパンチ処理装置、スティプル処理装置などをライン状（直列）に連結し、画像形成装置によって画像形成された用紙に対してパンチ処理、スティプル処理などの各処理を行って所望の用紙処理が施された用紙、あるいは用紙束を作成する用紙処理システムが知られている。
【０００３】
そのうち、製本処理に関する機能としては、用紙の端部や中央に綴じ処理を行う機能、糊の付いたテープに用紙端を押し付けて製本処理を行う機能、用紙束の綴じ側の辺に複数個の穴を穿孔した後、金属コイルや、プラスチック製のリングなどで綴じを行い、リング製本物として仕上げられる機能等が一般に知られている。近年では、パンチ穿孔後の用紙を整合し、用紙束の綴じ側の辺に多数個の穴を穿孔した後、金属コイルあるいはプラスチック製のリングなどを前記穴に通すことによって用紙束を綴じるリング製本についても、インラインで実行可能なリングバインダ装置も現れはじめ、生産性向上に大きく寄与することになった。
【０００４】
この種のリングバインダ製本装置として、例えば特許文献１（特開２００７‐３９１４７号公報）に記載された発明が公知である。この発明は、所定の用紙を揃えて一時保留するバインド装置であって、所定の位置に用紙を搬送する用紙搬送部と、この用紙搬送部によって搬送される複数枚の用紙を揃えて一時保留するバインダ紙揃えユニットとを備え、バインダ紙揃えユニットは、用紙の先端と側端を基準位置に揃えるためのパドルローラユニットを有しており、パドルローラユニットは、所定の厚み、かつ、所定の弾性を有したフィンを２枚以上重ねてなる多重フィンを回転本体部の周囲に複数設けられた二重フィン構造を有していることを特徴とするものである。
【発明の概要】
【発明が解決しようとする課題】
【０００５】
前述のように昨今では、インラインで綴じ処理を行うリングバインダ製本装置も出現し始め、効率の良いバインダ製本処理が可能になっている。一方、従来からのリング製本冊子の中には、中紙よりも表紙や裏表紙の寸法が大きく、中紙を保護したり、冊子としての品位を高めたりしたものがあったが、画像処理装置に付加されたシステムでのリングバインダ装置では、用紙を１枚ずつ整合してバインド処理を行う構成のため、サイズが異なる表紙（用紙）の混載が不可能であった。
【０００６】
そこで、本発明が解決しようとする課題は、サイズが異なる表紙が混載された用紙束に対してリングバインダ製本処理を可能とすることにある。
【課題を解決するための手段】
【０００７】
前記課題を解決するため、第１の手段は、用紙に対してリング綴じ用のリング穴を穿孔する穿孔手段と、用紙搬送方向に直交する方向から用紙の端縁に当接して用紙を整合する整合手段と、整合処理と穿孔処理が実施された用紙束のリング穴にリング状の綴じ具を通して冊子を作成するリングバインド手段と、を有する製本装置であって、前記整合手段が第１の整合部材と、この第１の整合部材よりも内側であって用紙載置面から離間する方向に揺動可能に支持された第２の整合部材とからなり、前記第２の整合部材により用紙搬送方向に直交する方向の長さが大きい用紙と小さい用紙とを整合する際、前記大きい用紙よりも小さい用紙については、前記第２の整合部材を前記第１の整合部材の用紙載置面から離間させて用紙載置面に排紙させ、その後、第２の整合部材を前記第１の整合部材の用紙載置面側に当接させて前記第２の整合部材の当接面で用紙を整合することを特徴とする。
【０００８】
第２の手段は、第１の手段において、前記大きい用紙が表紙であり、前記小さい用紙が中紙であることを特徴とする。
【０００９】
第３の手段は、第２の手段において、前記表紙を前記第１の整合部材で整合し、前記中紙を前記表紙上で前記第２の整合部材によって整合することを特徴とする。
【００１０】
第４の手段は、第３の手段において、前記中紙の上に排紙された他側の表紙を第２の整合部材によって整合することを特徴とする。
【００１１】
第５の手段は、第４の手段において、前記表紙及び他側の表紙は中紙に対して搬送方向及び搬送方向に直交する方向について長さが大きいことを特徴とする。
【００１２】
第６の手段は、第１ないし第５のいずれかの手段において、前記穿孔手段は、前記リング穴の列の中央が用紙束の綴じる辺の長さの略中央になるようにリング穴を穿孔することを特徴とする。
【００１３】
第７の手段は、第１ないし第５のいずれかの手段において、前記穿孔手段は、前記リング穴の列の中央が用紙束の綴じる辺の長さの略中央に対してずらしてリング穴を穿孔することを特徴とする。
【００１４】
第８の手段は、第１ないし第７のいずれかの手段に係る製本装置と、前記製本装置の前段側に設けられ、当該製本装置に印刷済みの用紙を供給する画像形成装置と、を備えた製本システムを特徴とする。
【００１５】
なお、後述の実施形態では、穿孔手段はパンチユニット１６に、第１の整合部材はジョガー２３に、第２の整合部材は補助フェンス３６に、綴じ具はリング２８，６３に、リングバインド手段はリングバインド部２９に、第２の整合部材の当接面は符号３６ｂに、表紙及び他側の表紙（裏表紙）は符号６０に、中紙は符号６１に、それぞれ対応する。
【発明の効果】
【００１６】
本発明によれば、小さい用紙については大きい用紙の上にのせた状態で第２の整合部材で用紙を整合するので、サイズが異なる表紙が混載された用紙束に対してリングバインダ製本処理が可能となる。
【図面の簡単な説明】
【００１７】
【図１】本発明の実施形態に係る製本システムの外観を示す正面図である。
【図２】図１の製本システムにおけるリングバインダ製本装置の詳細な構成を示す図である。
【図３】本実施形態における横揃えジョガーの補助フェンスの構造の一例を示す斜視図である。
【図４】穿孔されたリング穴の位置揃え動作を示す動作説明図で、位置揃え前の状態を示す。
【図５】穿孔されたリング穴の位置揃え動作を示す動作説明図で、位置揃え後の状態を示す。
【図６】補助フェンスの駆動系を示す要部斜視図である。
【図７】補助フェンスの１つの動作を示す動作説明図である。
【図８】横揃えジョガーの駆動系を示す斜視図である。
【図９】本実施形態に係るリングバインダ製本装置によって製本処理された冊子の外観の一例を示す図である。
【発明を実施するための形態】
【００１８】
以下、図面を参照し、本発明の実施形態について説明する。
【００１９】
図１は本発明の実施形態に係る製本システムの外観を示す正面図である。同図において、画像形成装置本体は本実施形態においては、複写機能、プリンタ機能、ファクシミリ機能のうち少なくとも２つの機能を備えたデジタル複合機（ＭＦＰ−Multi Function Peripheral）から構成されている。このＭＦＰ１はＡＤＦ２を備え、表示装置付きの操作パネル３が設けられている。ＭＦＰ１の排紙方向下流側にはインサータ４が連結されている。インサータ４には２つの用紙トレイ５、６が設けられ、画像形成済みの用紙あるいは画像形成装置を通すことができないシートを冊子の中に挿入することができる。インサータ４の更に下流側にはリングバインダ製本装置７が連結され、最下流には後処理機８が連結されている。リングバインダ製本装置７では、リング製本する冊子の用紙は、当該リングバインダ製本装置７の中で穿孔処理されて多穴のパンチ穴が形成され、整合され、リング綴じされる。後処理機８についての詳しい機能の説明は省略するが、１〜４穴程度までのパンチ装置やスティプル装置などを内蔵し、各種のスティプル綴じや用紙の整合などを行う公知のものである。
【００２０】
図２は前記リングバインダ製本装置７の詳細な構成を示す図である。このリングバインダ製本装置７は、オンラインで使用される所謂リング製本装置である。以下、リングバインダ製本装置７の機構と動作、機能について順を追って説明する。
【００２１】
リングバインダ製本装置７は、搬送経路に沿って、水平搬送路１０、整合トレイ１３，２２、束搬送部３０、最終束搬送部３２、及びスタックトレイ３４を備え、また、リングを保持するためのクランプ２５及びリングバインド部２９を備えている。画像形成装置本体１から給紙された用紙は、リングバインダ製本装置３の水平搬送路１０を搬送される。用紙がリング綴じされない場合には、そのまま水平搬送され、下流の後処理装置８に搬送される。リング綴じされる場合には、水平搬送路下流にある、反転ローラ１１によって用紙がスイッチバックされる。その際、切り替え爪１２が切り替えられて、斜め下のパンチ部へと搬送される。なお、水平搬送路１０を含む用紙搬送路には、複数の搬送ローラ対が配置され、用紙を前記用紙搬送路に沿って搬送する。
【００２２】
パンチ部では、整合トレイ１３上で、搬送方向に対してほぼ直交する方向から用紙端部に当接するジョガー１４によって用紙の搬送方向に平行な方向（以下、横方向と称する）の端部が揃えられる。一方、用紙の搬送方向先端部が前記整合トレイ１３の搬送経路に突出した先端突き当てストッパ２０に突き当てられ、搬送方向の用紙先端の位置が決まる。すなわち、整合トレイ１３とストッパ２０により、用紙の横方向と搬送方向（縦方向）位置が決まる。なお、用紙が先端突き当てストッパ２０に突き当てられる際、用紙にはトルクリミッタ付きの搬送ローラ１５によって搬送力が付与され、用紙先端のダメージをなくしている。
【００２３】
用紙が位置決めされたところで、パンチユニット１６の内部のカム１９が回転し、ポンチ１８を押し下げ、ダイ１７との間で用紙に所定の間隔で１列に並んだパンチ穴が明けられる。このパンチ穴の位置はストッパ２０から所定の距離の位置である。このパンチユニット１６は、リング綴じ用の多穴のパンチである。リング穴の穴明けが終了した用紙は、先端突き当てストッパ２０の搬送経路から後退して当接状態が解除され、更に下流へ搬送される。また、穴明けにより生じたパンチ屑はパンチ屑ホッパ２１に収納される。
【００２４】
次に用紙は整合部へ搬送される。整合部では、冊子にされる多数枚の用紙を整合トレイ２２に１枚ずつ受け入れ、整合しながら積載してゆく。整合トレイ２２には、横揃えジョガー２３及び用紙の搬送方向へ用紙を押さえ付けるタタキコロ２４が備えられ、図示しないフェンスに用紙の搬送方向（縦方向）を揃えつつ、ジョガー２３によって横方向が揃えられる。
【００２５】
この横揃えジョガー２３には、内側に補助フェンス３６が設けられている。この補助フェンス３６によって、表紙や裏表紙が中紙よりも大きい場合でも、用紙の揃えが可能になっている。この補助フェンス３６については、図３を参照して後述する。
【００２６】
整合トレイ２２上に冊子にする枚数分の用紙が積載された後、用紙に穿孔されたパンチ穴を基準にして用紙の整合精度を向上させるために、整合ピン３５を用紙束のパンチ穴に通して用紙束を整合する。整合ピン３５の先端はテーパ状に細くなっており、挿入時に用紙を揃える効果を持っている。ここで、用紙束がパンチ穴を基準に整合されることによって、表紙や裏表紙の寸法が中紙よりも大きい場合でも、最終的に精度の良い揃えが可能になっている。
【００２７】
図４及び図５は穿孔されたリング穴５８の位置揃え動作を示す動作説明図である。図４は位置揃え前の状態、図５は位置揃え後の状態をそれぞれ示す。パンチ部でパンチ穴（リング穴）６２が開けられ、整合部で整合された用紙束５７は、綴じる前に整合トレイ２２の上面の整合部ベース５９から突出する整合ピン３５によってパンチ穴６２基準に揃えられる。整合ピン３５は図４の状態では、整合部ベース５９の上面から後退した位置にあり、用紙後端が整合され、図４の状態から整合ピン３５が突出していく際に、図５に示すようにパンチ穴６２に通される。その際、整合ピン３５は、自身のテーパによってわずかなズレがあってもパンチ穴６２に挿通され、パンチ穴６２を基準に用紙束５７が整合される。なお、図４及び図５では、表紙及び裏表紙が同一サイズの用紙束５７について説明しているが、後述のように表紙６０及び裏表紙６０が中紙６１と異なるサイズの場合においてもパンチ穴６２の位置は同一なので、同様に適用することができる。
【００２８】
用紙束は整合された後、クランプ２５によって、用紙の綴じ側近傍が加圧保持される。リングカートリッジ保持部２６内には、リングカートリッジ２７が収められており、その中にはリング２８が多数スタックされている。本実施形態では、円周を３分割したタイプのプラスチックリングを示している。リングバインド部２９がリングカートリッジ２７の下部へ、回動してリングを取りにゆく。リングバインド部２９がリングを１本保持した状態で、クランプ部２５の下へ回動し、用紙束の下端に明けられた穴にリングを通し、図示しないバインド機構によってリング綴じが行われる。
【００２９】
リング綴じが行われた冊子は、回動する束搬送部３０がクランプ部２５の下へ移動した後、クランプ２５が解除され、束搬送部３０のベルトに設けられた放出爪３１によって受け取られ、束搬送部３１に乗せ換えられる。その後、束搬送部３０が反時計回りに回動し、最終束搬送部３２と略直線となる位置まで移動する。そして、束搬送部３０のベルトに設けられた放出爪３１によって、最終束搬送部３２まで冊子が受け渡される。最終束搬送部３２からは、同じくベルトに設けられた放出爪３３によって冊子が搬送され、スタックトレイ３４に排出される。一連の冊子作成の動きは以上である。
【００３０】
図３は本実施形態における横揃えジョガーの補助フェンスの構造の一例を示す斜視図、図６は補助フェンスの駆動系を示す要部斜視図、図７は補助フェンスの１つの動作を示す動作説明図である。図３に示すように、補助フェンス３６は、横揃えジョガー２３の一部切り欠き、その切り欠き部分の内側に、はね上げ可能な板状の部材として設けられている。補助フェンス３６は図４に示す補助フェンス揺動軸（図３：１点鎖線で示す軸）３７によって上下方向（矢印Ａ方向）回動可能になっており、後述する駆動機構により、矢印Ａ方向に駆動される。補助フェンス３６は図２において正面視略Ｌ字型に形成され、下側の端面３６ａが横揃えジョガー２３のシート受け面２３ａと略平行に形成されている。これにより補助フェンス３６の平面状の当接面３６ｂがシートの側端に当接し、シートを整合することができる。符号２３ｂは横揃えジョガー２３の側壁である。
【００３１】
補助フェンスの駆動機構は図６に示すように補助フェンス３６を用紙の幅方向（矢印Ｂ方向）に移動させるための横移動モータ４１、横移動モータ４１の駆動力を補助フェンス３６のベース部３６ａに伝達して揃え動作を実行させる中継駆動ベルト４４、この中継駆動ベルト４４に横移動モータ４１の駆動力を、ギア４３を介して伝達するメイン駆動ベルト４２、ベース部３６ａを含む補助フェンス３６を軸方向に摺動可能に支持する補助フェンス摺動軸３７、及び補助フェンス３６を上下方向（矢印Ａ方向）に駆動する縦移動モータ４０から基本的に構成されている。
【００３２】
補助フェンス３６はメイン駆動ベルト４２と中継駆動ベルト４４によって対となる補助フェンス３６がそれぞれ駆動され、互いに近接し、離間する近接離間動作を行う。移動は補助フェンス３６のベース部３６ａが２本のメイン摺動軸３６ｃに沿って摺動し、補助フェンス３６は補助フェンス摺動軸３７に沿って前記ベース部３６ａと共に移動する。補助フェンス３６にはベース部３６ａが係合しており、ベース部３６ａの軸方向（用紙の幅方向）移動に従動する。また、補助フェンス３６は縦移動モータ４０によって回転駆動される補助フェンス縦移動レバー５０の回動動作に応じて縦方向（用紙に対して垂直な方向）に揺動する。補助フェンス縦移動レバー５０は、補助フェンス摺動軸３７の外周に通され、縦移動モータ４０によって駆動される。
【００３３】
また、本実施形態では、第１及び第２の位置検知センサ４５，４６が設けられている。両センサとも光透過型のセンサ、所謂フォトインタラプタから構成され、図６において図示左側のベース部３６ａから用紙の幅方向外側に突設された第１のフィラー４７、及び補助フェンス縦移動レバー５０の外周に突設された第２のフィラー４８をそれぞれ検出するようになっている。なお、本実施形態では、第１及び第２の位置検知センサ４５，４６が第１及び第２のフィラー４７，４８をそれぞれ検知した位置が補助フェンス３６の幅方向及び縦方向（高さ方向）のホームポジションに設定されている。
【００３４】
図７は補助フェンス３６の縦方向の揺動動作を示す図で、同図（ａ）は用紙整合時の状態を、同図（ｂ）は用紙から離間した状態をそれぞれ示す。揺動動作は以下のようにして行われる。例えば図７（ａ）の整合位置に位置していた補助フェンス３７が、縦移動モータ４０の回転駆動により補助フェンス縦移動レバー５０を図示時計方向（矢印Ａ方向）に回動させる。これにより、補助フェンス縦移動レバー５０が整合フェンス３６の整合面とは逆側の端部に形成された補助フェンス３６側の係合突起３６ｄに係合して整合フェンス３６を図示時計方向（矢印Ａ方向）に回動させ、補助フェンス３６を図７（ｂ）に示すように用紙束から離間した位置に位置させる。この図７（ｂ）の位置から縦移動モータ４０を逆方向回動させると、その回動に従動して補助フェンス３６の整合面側が下降し、図７（ａ）の位置に戻る。
【００３５】
補助フェンス３６の幅方向及び縦方向いずれの方向の駆動も、第１及び第２の位置検知センサ４５，４６による第１及び第２のフィラー４７，４８の検知位置を、ホームポジションを基準に横移動モータ４１及び縦移動モータ４０の動作量（ステップ数）の制御により行われる。
【００３６】
このような構成の横揃えジョガー２３を使用して整合する整合動作は以下のようにして行われる。  
すなわち、中紙よりもサイズの大きい表紙、裏表紙を使用する場合、まず表紙６０を揃えた後、次に受け入れる中紙が入る前に、補助フェンス３６が軸３７を回転軸にしてはね上げられる。中紙６１はすでに揃えられた表紙６０の上に排紙され、次いで、補助フェンス３６が元の位置に戻り、当接面３６ａが表紙６０に接触する。この状態及びこの位置で次から受け入れる中紙６１の横揃えが行われる。横揃えは横揃えジョガー２３の寄せ動作により、補助フェンス３６の当接面３６ａが中紙６１の側端に当接し、表紙６０上で中紙の揃え動作が実行される。中紙６１はこの状態のまま連続的に排紙され、それに伴い整合動作が連続して行われ、最後にまたサイズの大きな裏表紙６０を受け入れる際は、表紙６０のサイズに見合った幅に補助フェンス３６が調整され、言い換えれば横揃えジョガー２３の待機位置が外側に予め設定された幅分後退し、その位置から整合動作が実施される。以上の動作で、表紙６０、裏表紙６０が中紙６１よりも大きい場合でも整合が可能となっている。この動作を各部毎に繰り返すことにより全てのジョブの用紙束が整合され、冊子が形成される。
【００３７】
図８は横揃えジョガー２３の駆動系を示す斜視図である。同図において、一対の横揃えジョガー２３は当該ジョガー２３の側面側に取り付けられたジョガーフェンス摺動ガイド５６によって用紙搬送方向に直交する方向に設置されたジョガーフェンス摺動軸５５にそれぞれ摺動自在に保持されている。一対のジョガーフェンス摺動ガイド５６にはジョガー駆動プーリ５３と従動プーリ５４との間に張設されたタイミングベルト５１の上側と下側がそれぞれ連結され、ジョガー駆動プーリ５３と同軸のジョガー駆動モータ５２の正逆回転によって用紙搬送方向と直交する方向（図３矢印Ｃ方向）にジョガーフェンス摺動軸５５に沿って対称に往復駆動される。すなわち、横揃えジョガー２３の近接、離反動作が行われる。横揃えジョガー２３の用紙サイズに応じた位置決め、あるいはジョガー退避位置は図示しないＨＰセンサにより、ＨＰセンサのセンサ検知からのモータ制御によって行われる。この間の制御は前記補助フェンス３６の場合と同様である。なお、図８では図示を簡潔にするため補助フェンス３６は省略している。
【００３８】
図８において横揃えジョガー２３の間に位置するのがタタキコロ２４であり、タタキソレノイド２４ａのＯＮ／ＯＦＦ動作によってタタキコロ２４は用紙に対して接触、離間動作を行い、図示しないタタキコロ駆動モータによってタイミングベルト２４ｂを駆動してタタキコロ２４を回転させて用紙を図示下方向へ叩き落とす。
【００３９】
図９は本実施形態に係るリングバインダ製本装置７によって作成されるリングバインド冊子の外観の一例を示す図である。用紙束の端部近傍にパンチ穴６２が多数穿孔され、リング６３で綴じられて冊子を形成している。表紙と裏表紙６０のみ、中紙６１よりもサイズの大きなシートで冊子が作られている。
【００４０】
なお、本実施形態に係る製本システムで処理する場合、前記表紙及び他側の表紙は中紙に対して搬送方向及び搬送方向に直交する方向について大寸とすると、綴じ側の辺以外の三辺について、表紙及び裏表紙６０が中紙６１よりも大きい冊子を形成することができる。
【００４１】
また、パンチユニット１６によってリング（パンチ）穴の列の中央が用紙束の綴じる辺の長さの略中央になるようにリング穴（パンチ穴６２）を穿孔すると、言い換えれば、パンチ穴列の中央と用紙束の綴じる側の辺の中央を合わせるようにパンチ穴を穿孔すると、表紙及び裏表紙６０と中紙６１が綴じ側の中央部で略一致する。これにより高品位なリングバインド製本が可能となる。この中央の揃え動作は横揃えジョガー２３の移動制御によって実行される。
【００４２】
更に、パンチユニット１６は、前記リング穴の列の中央が用紙束の綴じる辺の長さの略中央に対してずらしてリング穴を穿孔することもできる。その際、例えば、大きい用紙と小さい用紙の一辺が予め設定された基準となる辺に揃うように前記リング穴を穿孔することもできる。このように穿孔して製本すると、基準となる辺が例えば本棚に立てて置いたときに表紙、裏表紙６０及び中紙６１の底に当たる部分が平面状に本棚に接触して支持される。これにより立てて置いたときに中紙６１が傾くことがなく、綺麗な姿勢を保持することができる。このようにリング穴の穿孔位置のずらし方によって多彩な製本処理が可能となる。
【００４３】
また、リング製本時に
１）表紙６０と裏表紙６０が中紙６１と異なる大きさの用紙を使用してリング綴じを行う。  
２）表紙６０と裏表紙６０が中紙６１と異なる大きさの用紙を使用したときに、リング綴じは行わず、整合処理だけ実施する。  
３）表紙６０と裏表紙６０が中紙６１と異なる大きさの用紙を使用したときに、リング綴じを行わないでシートへの穴の穿孔を実施する。  
などの各種の処理が可能になり、ユーザの用途に応じた処置が可能となる。
【００４４】
なお、リング穴の穿孔位置は、横揃えジョガー２３で設定することができる。
【００４５】
以上のように、本実施形態によれば、リングバインド製本時に表紙６０と裏表紙６０のみ中紙６１と異なる大きさの用紙、例えば用紙の搬送方向の寸法、用紙の搬送方向に対して直交する方向の寸法、及びいずれの方向の寸法が異なる用紙を使用してリング綴じを行うことができる。  
なお、本発明は本実施形態に限定されるものではなく種々の変形が可能であり、特許請求の範囲に記載された発明の技術思想に含まれる技術的事項の全てが本発明の対象となる。
【符号の説明】
【００４６】
１６  パンチユニット
２３  横揃えジョガー
３６  補助フェンス
２８，６３  リング
２９  リングバインド部
３６ｂ  第２の整合部材の当接面
６０  表紙及び裏表紙
６１  中紙
【先行技術文献】
【特許文献】
【００４７】
【特許文献１】特開２００７‐３９１４７号公報
【図１】
2010241108.tif 000003
【図２】
2010241108.tif 000004
【図３】
2010241108.tif 000005
【図４】
2010241108.tif 000006
【図５】
2010241108.tif 000007
【図６】
2010241108.tif 000008
【図７】
2010241108.tif 000009
【図８】
2010241108.tif 000010
【図９】
2010241108.tif 000011